(57)【要約】【課題】支柱に設けられたソケット金具を利用して仮設足場への設置作業を容易に行うことができる上、ソケット金具の形状が異なる支柱が使用されている仮設足場にも共用しうる仮設用朝顔装置を提供する。【解決手段】仮設用朝顔装置は、支柱2の前側部に取り付けられ縦枠部材9の下端部が連結される連結部材11と、支柱の前側部における連結部材よりも下方位置に取り付けられかつ上端部が縦枠部材の長さ中間部に連結された支持部材18の下端部を保持する保持部材17とを備えている。連結部材および保持部材は、支柱当接部3,27と、支柱のソケット金具7,7Xに挿入される下方突出部4,23とを有している。各下方突出部の前側縁が、形状の異なるソケット金具に共通して下方突出部を挿入しうるように同一の所定角度で後下がり状に傾斜したものとなされている。【選択図】図３
2018168688.tif 000002
【特許請求の範囲】
【請求項１】
仮設足場における左右２本の支柱の前側部の所定高さ位置にそれぞれ取り付けられている左右２つの連結部材と、
下端部が各連結部材に左右方向にのびる水平軸を中心として回動自在に連結されている左右２つの揺動可能な縦枠部材と、
左右２つの縦枠部材の上端部どうしおよび下端部どうしにそれぞれ渡し止められている上部横枠部材および下部横枠部材と、
左右２つの縦枠部材、上部横枠部材および下部横枠部材によって形成された方形枠に張り止められている面材と、
上端部が各縦枠部材の上端部または長さ中間部に左右方向にのびる水平軸を中心として回動自在に連結されている左右２つの棒状の支持部材と、
各支柱の前側部における連結部材よりも下方の所定高さ位置に取り付けられかつ各支持部材の下端部を保持する左右２つの保持部材とを備えている仮設用朝顔装置であって、
各連結部材が、各支柱に向かって後方にのびかつ先端側に各支柱の前側部に当接させられる平面より見て略く字形の支柱当接部および支柱当接部の下方に連なって設けられかつ各支柱の前側部に上下方向所定間隔おきに設けられた複数のソケット金具のうち所要の１つのソケット金具に上方から挿入される下方突出部を有している第１の支柱取付部と、第１の支柱取付部の下方または上方において各支柱に向かって後方にのびかつ先端側に各支柱に締付固定可能なクランプを有している第２の支柱取付部とを備えており、
各保持部材が、各支柱に向かって後方にのびかつ先端側に各支柱の前側部に当接させられる平面より見て略く字形の支柱当接部および支柱当接部の下方に連なって設けられかつ支柱の前側部に上下方向所定間隔おきに設けられた複数のソケット金具のうち所要の１つのソケット金具に上方から挿入される下方突出部を有している第１の支柱取付部と、第１の支柱取付部の下方または上方において各支柱に向かって後方にのびかつ先端側に各支柱に締付固定可能なクランプを有している第２の支柱取付部とを備えており、
２つの連結部材の下方突出部および２つの保持部材の下方突出部の前側縁が、形状の異なる複数種類のソケット金具に共通して下方突出部を挿入しうるように同一の所定角度で後下がり状に傾斜したものとなされている、仮設用朝顔装置。
【請求項２】
各連結部材の下方突出部が、仮設足場における足場板の左右各横桟の前端に設けられた下方突出部が挿入されている各支柱の後側部のソケット金具と同一高さ位置にある各支柱の前側部のソケット金具に挿入されている、請求項１記載の仮設用朝顔装置。
【請求項３】
各連結部材の第２の支柱取付部が、第１の支柱取付部の下方に設けられており、各保持部材の第１の取付部および第２の取付部が、各支柱における前記足場板とその１層下の足場板との間の高さ位置に取り付けられている、請求項２記載の仮設用朝顔装置。
【発明の詳細な説明】
【技術分野】
【０００１】
この発明は、仮設足場が組まれる建築工事や改修工事等に際して、仮設足場から張り出すように設置して作業用部材や工具などの落下物を受け止める仮設用朝顔装置に関する。
【背景技術】
【０００２】
本出願人は、下記特許文献１記載の通り、仮設足場に所定間隔をおいて立てられた２本の支柱の所定高さ位置に連結部材がクランプにより取り付けられ、両連結部材に傾斜自在に設けられた短筒にシート取付枠の両縦枠部材の下端部が嵌め入れられてロックピンにより連結され、シート取付枠にメッシュシートが張り止められ、シート取付枠の両縦枠部材の長さ中間部に支持部材の上端部が揺動自在に取り付けられ、２本の支柱における連結部材よりも下方の所定高さ位置に保持部材がクランプにより取り付けられ、これらの保持部材によって支持部材の下端部が保持されている仮設用朝顔装置を先に提案した。
但し、上記の仮設用朝顔装置の場合、各支柱に連結部材および保持部材を取り付ける際、連結部材と保持部材との間隔を測定し、各部材を片手で保持して水平方向の取付角度を微調整しながら、他方の手でクランプのボルト・ナットを締めなければならず、作業性に問題があった。
【０００３】
下記特許文献２には、仮設足場の支柱に上下方向に所定ピッチで設けられた平面より見てコ字形のソケット金具を利用して、連結部材および保持部材を支柱に取り付ける構造を備えた仮設用朝顔装置が開示されている。具体的には、連結部材および保持部材に、支柱のソケット金具に上方から嵌め入れられる下方突出部を設けたものである。
この仮設用朝顔装置によれば、支柱に設けられたソケット金具のピッチを考慮して連結部材および保持部材の下方突出部を形成しておくことにより、これらの部材の支柱への取付が容易となり、また、取付時の両部材の位置調整の手間が省け、作業性が向上すると考えられる。
【先行技術文献】
【特許文献】
【０００４】
【特許文献１】特許第５９９９５３９号公報
【特許文献２】特開２０１５−４８６７０号公報
【発明の概要】
【発明が解決しようとする課題】
【０００５】
しかしながら、上記特許文献２記載の仮設用朝顔装置では、連結部材の下方突出部と保持部材の下方突出部の形状が異なっている上、保持部材の下方突出部はソケット金具の内部形状に合致する嵌合形状であるため、ソケット金具の形状が異なる支柱が用いられた仮設足場に共用することができないという問題があった。
【０００６】
この発明は、上記の課題に鑑みてなされたものであって、仮設足場の支柱に設けられたソケット金具を利用して取付作業を容易に行うことができ、しかも、ソケット金具の形状が異なる支柱が使用されている仮設足場にも共用することができる仮設用朝顔装置を提供することを目的としている。
【課題を解決するための手段】
【０００７】
この発明は、上記の目的を達成するために、以下の態様からなる。
なお、この発明を特定するに当たり、仮設足場のある側（図３，５の左側）を「後」、仮設足場から張り出した仮設用朝顔装置のある側（図３，５の右側）を「前」といい、また、「左右」は、前から見た場合の左右をいうものとする。
【０００８】
１）仮設足場における左右２本の支柱の前側部の所定高さ位置にそれぞれ取り付けられている左右２つの連結部材と、
下端部が各連結部材に左右方向にのびる水平軸を中心として回動自在に連結されている左右２つの揺動可能な縦枠部材と、
左右２つの縦枠部材の上端部どうしおよび下端部どうしにそれぞれ渡し止められている上部横枠部材および下部横枠部材と、
左右２つの縦枠部材、上部横枠部材および下部横枠部材によって形成された方形枠に張り止められている面材と、
上端部が各縦枠部材の上端部または長さ中間部に左右方向にのびる水平軸を中心として回動自在に連結されている左右２つの棒状の支持部材と、
各支柱の前側部における連結部材よりも下方の所定高さ位置に取り付けられかつ各支持部材の下端部を保持する左右２つの保持部材とを備えている仮設用朝顔装置であって、
各連結部材が、各支柱に向かって後方にのびかつ先端側に各支柱の前側部に当接させられる平面より見て略く字形の支柱当接部および支柱当接部の下方に連なって設けられかつ各支柱の前側部に上下方向所定間隔おきに設けられた複数のソケット金具のうち所要の１つのソケット金具に上方から挿入される下方突出部を有している第１の支柱取付部と、第１の支柱取付部の下方または上方において各支柱に向かって後方にのびかつ先端側に各支柱に締付固定可能なクランプを有している第２の支柱取付部とを備えており、
各保持部材が、各支柱に向かって後方にのびかつ先端側に各支柱の前側部に当接させられる平面より見て略く字形の支柱当接部および支柱当接部の下方に連なって設けられかつ支柱の前側部に上下方向所定間隔おきに設けられた複数のソケット金具のうち所要の１つのソケット金具に上方から挿入される下方突出部を有している第１の支柱取付部と、第１の支柱取付部の下方または上方において各支柱に向かって後方にのびかつ先端側に各支柱に締付固定可能なクランプを有している第２の支柱取付部とを備えており、
２つの連結部材の下方突出部および２つの保持部材の下方突出部の前側縁が、形状の異なる複数種類のソケット金具に共通して下方突出部を挿入しうるように同一の所定角度で後下がり状に傾斜したものとなされている、仮設用朝顔装置。
【０００９】
２）各連結部材の下方突出部が、仮設足場における足場板の左右各横桟の前端に設けられた下方突出部が挿入されている各支柱の後側部のソケット金具と同一高さ位置にある各支柱の前側部のソケット金具に挿入されている、上記１）の仮設用朝顔装置。
【００１０】
３）各連結部材の第２の支柱取付部が、第１の支柱取付部の下方に設けられており、各保持部材の第１の取付部および第２の取付部が、各支柱における前記足場板とその１層下の足場板との間の高さ位置に取り付けられている、上記２）の仮設用朝顔装置。
【発明の効果】
【００１１】
上記１）の仮設用朝顔装置によれば、各連結部材の下方突出部を各支柱の前側部の所要高さ位置にあるソケット金具に挿入してクランプを各支柱に締付固定するとともに、同ソケット金具よりも所要距離だけ下方に設けられたソケット金具に、各保持部材の下方突出部を挿入してクランプを各支柱に締付固定すれば、仮設足場への設置が完了するので、設置に際して、上記特許文献１記載の仮設用朝顔装置のように面倒な位置決め作業を行う必要がなく、各連結部材および各保持部材を各支柱の所要高さ位置に簡単にかつ正確に取り付けることができる。
また、上記１）の仮設用朝顔装置によれば、２つの連結部材の下方突出部および２つの保持部材の下方突出部の前側縁が、形状の異なる複数種類のソケット金具に共通して下方突出部を挿入しうるように同一の所定角度で後下がり状に傾斜したものとなされているので、ソケット金具の形状が異なる支柱が使用された仮設足場に共用することができ、特定形状のソケット金具を有する支柱が使用された仮設足場のみに設置可能な上記特許文献２記載の仮設用朝顔装置と比べて、利便性が高い。
【００１２】
上記２）の仮設用朝顔装置によれば、以下のような効果が奏される。すなわち、仮設足場において、左右各２本の支柱における足場板の左右各横桟の前端が取り付けられている高さ位置では、足場板の横桟との連結によって撓み等に対する強度が高められている。そこで、上記２）の仮設用朝顔装置のように、足場板の左右各横桟の前端に設けられた下方突出部が挿入されている各支柱の後側部のソケット金具と同一高さ位置にある各支柱の前側部のソケット金具に、各連結部材の下方突出部を挿入して取付を行えば、連結部材による縦枠部材の取付状態、ひいては方形枠およびこれに張り止められた面材の取付状態がより安定する、という効果が奏される。
これに対して、上記特許文献１記載の仮設用朝顔装置では、連結部材の取付手段がクランプであるため、支柱における足場板の左右横桟が取り付けられている高さ位置に連結部材を取り付けることはできず、同高さ位置からずれた位置に取り付ける必要があるため、上記効果は得られない。また、上記特許文献２には、支柱に連結部材を取り付ける高さ位置を、支柱に取り付けられる足場板の左右横さんの取付高さ位置と一致させる点について、全く開示も示唆もされていない。
【００１３】
上記３）の仮設用朝顔装置によれば、作業者が、仮設足場の１つの層内、すなわち下層側の足場板の上に乗った状態で、朝顔装置の連結部材および保持部材の支柱への設置を効率良く行うことが可能であり、優れた作業性が得られ、また、設置に際して連結部材または保持部材を1つ上または１つ下の層に運搬する必要がなくなるため、落下等の事故のリスクが軽減され、安全性が高められる。
これに対して、上記特許文献１記載の仮設用朝顔装置では、支柱への連結部材および保持部材の取付高さ位置が上下２つの層に分かれており、作業性の面で劣っている。また、上記特許文献２には、支柱への連結部材および保持部材の取付高さ位置を１つの層内にする点についての開示や示唆は見当たらない。
【図面の簡単な説明】
【００１４】
【図１】この発明の実施形態に係る仮設用朝顔装置を、ソケット金具がポケット式のものである支柱を使用した仮設足場に設置した状態を示す斜視図である。
【図２】図１の朝顔装置の連結部材を拡大して示す斜視図である。
【図３】図１の朝顔装置の側面図である。
【図４】図１の朝顔装置における連結部材および保持部材の第１の支柱取付部を、それぞれ拡大して示す部分切欠側面図である。
【図５】この発明の実施形態に係る仮設用朝顔装置を、ソケット金具がプレート式のものである支柱を使用した仮設足場に設置した状態を示す側面図である。
【図６】図５の朝顔装置における連結部材および保持部材の第１の支柱取付部を、それぞれ拡大して示す部分切欠側面図である。
【発明を実施するための形態】
【００１５】
この発明の実施形態を、図１〜図６を参照して以下に説明する。
【００１６】
図１〜図４は、この発明の実施形態に係る仮設用朝顔装置を、ソケット金具がポケット式のものである支柱を使用した仮設足場に設置した状態を示すものである。
【００１７】
図示の仮設用朝顔装置は、仮設足場における左右２本の支柱(2)の前側部の所定高さ位置にそれぞれ取り付けられている左右２つの連結部材(11)と、下端部が各連結部材(11)に左右方向にのびる水平軸を中心として回動自在に連結されている左右２つの揺動可能な縦枠部材(9)と、左右２つの縦枠部材(9)の上端部どうしおよび下端部どうしにそれぞれ渡し止められている上部横枠部材(13)および下部横枠部材(12)と、左右２つの縦枠部材(9)、上部横枠部材(13)および下部横枠部材(12)によって形成された方形枠(8)に張り止められているメッシュシート（面材）(15)と、上端部が各縦枠部材(9)の長さ中間部に左右方向にのびる水平軸を中心として回動自在に連結されている左右２つの棒状の支持部材(18)と、各支柱(2)の前側部における連結部材(11)よりも下方の所定高さ位置に取り付けられかつ各支持部材(18)の下端部を保持する左右２つの保持部材(17)とを備えている。
【００１８】
仮設足場には、前記２本の支柱(2)を含む複数本の前側（反建物側）の支柱(2)が左右方向に間隔をおいて立てられ、左右に隣り合う支柱(2)どうしが桟（手摺）(1)や筋交い(24)によって連結されている。各支柱(2)には、その前後左右の各側部に、上下方向所定間隔おきに複数のソケット金具(7)が設けられている。各ソケット金具(7)は、平面より見てコ字形をしたポケット式のものである。
また、仮設足場は、上記複数本の支柱(2)に加えて、これらの支柱(2)それぞれの後方に所定間隔をおいて立てられかつ左右に隣り合うものどうしが桟（手摺）(1)や筋交い(24)によって連結された複数本の後側（建物側）の支柱(2)を備えている。
前後に向かい合う２本の支柱(2)の所定高さ位置には、足場板(21)の左右各横桟(22)が渡し止められている。具体的に言うと、足場板(21)の左右各横桟(22)の前後両端に下方突出部(221)が設けられており、各横桟(22)の前端の下方突出部(221)が、前側の支柱(2)の後側部に設けられたソケット金具(7)に上方から挿入され、各横桟(22)の後端の下方突出部(221)が、後側の支柱(2)の前側部に設けられたソケット金具(7)に上方から挿入されている（図３参照）。
【００１９】
朝顔装置の各連結部材(11)は、側面より見て後方に開口した略横Ｕ形の垂直板状部(111)と、垂直板状部(111)の前側縁上部に設けられた平面より見て前方に開口したコ字形の連結部(112)とを備えている。
垂直板状部(111)の上側の後方張出部は、その先端側に、各支柱(2)の前側部に当接させられる平面より見て略く字形の支柱当接部(3)および支柱当接部(3)の下方に連なって設けられかつ各支柱(2)の前側部の所要高さ位置のソケット金具(7)に上方から挿入される下方突出部(4)を有している。支柱当接部(3)および下方突出部(4)を備えたこの上側の後方張出部によって、第１の支柱取付部(111a)が構成されている。
下方突出部(4)は、足場板(21)の左右各横桟(22)の前端に設けられた下方突出部(221)が挿入されている支柱(2)の後側部のソケット金具(7)と同一高さ位置にある支柱(2)の前側部のソケット金具(7)に挿入されている。
支柱当接部(3)の平面から見た形状である「略く字形」には、図２に示すような「く」字形の他、支柱(2)の前側部の形状に沿う円弧形も含まれる。
垂直板状部(111)の下側の後方張出部は、その先端側に、各支柱(2)に締付固定可能なクランプ(5)を有している。クランプ(5)を備えたこの下側の後方張出部によって、第２の支柱取付部(111b)が構成されている。
【００２０】
各連結部材(11)における平面視コ字形の連結部(112)の内側には、横断面方形をした２つの短筒(10)の一端部が、左右に並んで配置されているとともに、左右方向にのびる水平な連結軸によって連結部(112)の左右側壁にそれぞれ回動自在に連結されている。これにより２つの短筒(10)が個別に揺動可能となされている。
そして、左右２つの連結部材(11)における左右２つの短筒(10)のうち互いに向かい合う内側の２つの短筒(10)に、角筒材よりなる左右２つの縦枠部材(9)の下端部がそれぞれ嵌め込まれて、例えばロックピン（図示略）により両者(10)(9)が連結一体化されている。なお、残りの短筒(10)は、図示の朝顔装置の左右に隣接して別の朝顔装置を設置する際に、同装置の縦枠部材の下端部を連結するために使用される。
また、上記内側の２つの短筒(10)の互いに対向する側壁に角筒状の下部横枠部材(12)の左右端部が固定されている。つまり、両短筒(10)を介して、左右の縦枠部材(9)の下端部に下部横枠部材(12)が渡し止められている。
上部横枠部材(13)は、角筒状のものである。上部横枠部材(13)の左右両端面には、横断面方形の有底短筒(14)の側壁が、開口後向きとなるように接合されている。そして、これらの有底短筒(14)に、左右２つの縦枠部材(9)の上端部がそれぞれ嵌め込まれて、例えばロックピン（図示略）により両者(14)(9)が連結一体化されている。つまり、両有底短筒(14)を介して、左右の縦枠部材(9)の上端部に上部横枠部材(13)が渡し止められている。
【００２１】
メッシュシート(15)の左右縁部および上下縁部には、長さ方向所定間隔おきに複数の孔（図示略）が開けられているとともに、同孔の周縁にリング状のハトメ（図示略）が取り付けられている。そして、これらのハトメに、左右の縦枠部材(9)および上部横枠部材(13)の後側面に長さ方向所定間隔おきに設けられた先端上向きの複数のＬ形ピン(25)ならびに下部横枠部材の後側面に長さ方向所定間隔おきに設けられた折れピン(29)が通されることにより、メッシュシート(15)が方形枠(8)に張り止められている。
また、メッシュシート(15)は、下部横枠部材(12)よりも後方にはみ出したはみ出し部(151)を有している。このはみ出し部(151)は、上方に折り返されて、紐などにより各支柱(2)に取り付けられており、それによって、メッシュシート(15)と仮設足場との隙間が完全に塞がれるようになされている。
なお、メッシュシート(15)に代えて、例えばＦＲＰ製のパネルを、面材として方形枠(8)に張り止めるようにしてもよい。
【００２２】
左右の縦枠部材(9)の長さ中間部、より詳細には、縦枠部材(9)の左右側壁における上端と長さ中央との中間位置に、左右1対の取付片(16)が垂下状に取り付けられている。
そして、これら1対の取付片(16)に、例えば角筒材または角棒材よりなる支持部材(18)の上端部が、左右方向にのびる水平な連結軸によって回動自在に連結されている。
左右２つの支持部材(18)の互いに向かい合う側壁の下端部に、互いに他方に向かって突出しかつ先端に頭部を有する係合ピン（図示略）が設けられている。
【００２３】
上部横枠部材(13)の両端部に接合された有底短筒(14)の上壁および左右の支持部材の後側壁の長さ中央部に、それぞれ逆Ｕ形の紐取付部(20)が設けられている。
そして、左右の有底短筒(14)の紐取付部(20)にそれぞれ一端部が取り付けられた２本の紐(19)が、連結部材(11)よりも上方位置において左右２本の支柱(2)に渡し止められている桟(1)に上から引っ掛けられて下方に垂らされ、両紐(19)の他端部が左右の支持部材(18)の紐取付部(20)に取り付けられている。これらの紐(19)を、足場板(21)の上に乗った作業員が、仮設足場側（後側）に引っ張るかまたは仮設足場と反対側（前側）に繰り出すことにより、方形枠(8)およびこれに張られたメッシュシート(15)の傾斜角度を調整することができる。
【００２４】
図３に示すように、各保持部材(17)は、上下にのびる角筒体よりなる保持部(171)を有している。保持部(171)の左右側壁には、上下にのびる案内溝(26)が形成されている。案内溝(26)の幅は、係合ピンの軸部の外径より大きくかつ係合ピンの頭部の外径よりも小さいものとなされている。案内溝(26)の上端部には、後方に鉤状に折れ曲がった屈曲溝部を介して係合ピンの頭部の外径よりも大きい導入溝部(261)が形成されており、この導入溝部(261)を通して係合ピンの軸部が案内溝(26)に挿通されるようになっている。また、案内溝(26)には、所定の複数の高さ位置から前方に短くのびた係止溝部(262)が形成されており、予め設定した方形枠(8)の複数の揺動角度に応じて支持部材(18)の下端部の位置が上下方向に移動するのに合わせて、係合ピンの軸部を各係止溝部(262)の縁によって係止しうるようになされている。
【００２５】
また、各保持部材(17)は、保持部(171)の後壁上部から後方に突出した垂直な上側板状部と、保持部(171)の後壁下部から後方に突出した垂直な下側板状部とを有している。
上側板状部の先端側には、各支柱(2)の前側部に当接させられる平面より見て略く字形の支柱当接部(27)と、支柱当接部(27)の下方に連なりかつ各支柱(2)の前側部の所要高さ位置のソケット金具(7)に上方から挿入される下方突出部(23)とが設けられている。支柱当接部(27)および下方突出部(23)を備えたこの上側板状部によって、第１の支柱取付部(172a)が構成されている。
各保持部材(17)の支柱当接部(27)は、各連結部材(11)の支柱当接部(3)と同一構造を有している。
下側板状部の先端側には、各支柱(2)に締付固定可能なクランプ(28)が設けられている。クランプ(28)を備えたこの下側板状部によって、第２の支柱取付部(172b)が構成されている。
各保持部材(17)の第１の支柱取付部(172a)および第２の支柱取付部(172b)は、各支柱(2)における上位の足場板(21)とその１層下の下位の足場板(21)との間の高さ位置に取り付けられている。
【００２６】
図４に詳しく示すように、２つの連結部材(11)の下方突出部(4)および２つの保持部材(17)の下方突出部(23)の後側縁は垂直なものとなされている。
また、各下方突出部(4)(23)の前側縁は、形状の異なる複数種類のソケット金具(7)（図５，６のソケット金具(7X)も参照）に共通して下方突出部(4)(23)を挿入しうるように同一の所定角度で後下がり状に傾斜したものとなされている。下方突出部(4)(23)の前側縁の水平線に対する傾斜角度（勾配）(A)は、例えば４５〜８５°となされる。
なお、この実施形態では、連結部材(11)の下方突出部(4)と、保持部材(17)の下方突出部(23)とが同形同大のものとなされているが、前縁部の傾斜角度(A)が同一であれば、これらの下方突出部(4)(23)の突出長さが異なっていても構わない。
各下方突出部(4)(23)がソケット金具(7)に挿入されて、支柱当接部(3)(27)の凹状後面が支柱(2)の前側部に当接させられるとともに、各下方突出部(4)(23)の傾斜した前側縁がソケット金具(7)の開口上縁に当接させられることにより、連結部材(11)および保持部材(17)が支柱(2)の前側部の所定高さ位置に保持される。この状態で、連結部材(11)および保持部材(17)のクランプ(4)(28)を支柱(2)に締付固定することにより、支柱(2)への連結部材(11)および保持部材(17)の取付が完了する。
この際、各下方突出部(4)(23)の前側縁の傾斜角度(A)が一致していることにより、連結部材(11)と保持部材(17)との間隔は、下方突出部(4)(23)が挿入されるソケット金具(7)間の距離と一致するため、常に一定となり、取付位置の高さ調整が不要となる。
【００２７】
図５および図６は、この発明の実施形態に係る仮設用朝顔装置を、ソケット金具がプレート式のものである支柱を使用した仮設足場に設置した状態を示している。
図示の通り、各支柱(2X)には、上下方向等間隔おきに複数のフランジプレート(70)が設けられている。各フランジプレート(70)における前後左右の各部には、方形状の孔があけられている。フランジプレート(70)の孔あき前後左右各部が、ソケット金具(7X)を構成している。
そして、図６に詳しく示すように、左右各連結部材(11)の下方突出部(4)が、左右各支柱の所定高さ位置にあるフランジプレート(70)の前部（ソケット金具）(7X)の孔に挿入され、左右各保持部材(17)の下方突出部(23)が、左右各支柱(2)における連結部材(11)よりも下方の所定高さ位置にあるフランジプレート(70)の前部（ソケット金具）(7X)の孔に挿入されている。
その他の取付構造は、図１〜４に示す場合と同様である。
以上の通り、この実施形態の仮設用朝顔装置は、各支柱(2)のソケット金具(7X)がプレート式である場合にも、支障なく設置することが可能であり、また、連結部材(11)および保持部材(17)の取付作業を簡単にかつ正確に行うことができる。
【産業上の利用可能性】
【００２８】
この発明は、ソケット金具を有する支柱が使用されている仮設足場に設置して、作業用部材や工具などの落下物を受け止めるための仮設用朝顔装置として好適に用いられる。
【符号の説明】
【００２９】
(2)：支柱
(3)：（連結部材の）支柱当接部
(4)：（連結部材の）下方突出部
(5)：（連結部材の）クランプ
(7)(7X)：ソケット金具
(8)：方形枠
(9)：縦枠部材
(11)：連結部材
(111a)：（連結部材の）第１の支柱取付部
(111b)：（連結部材の）第２の支柱取付部
(12)：下部横枠部材
(13)：上部横枠部材
(15)：メッシュシート（面材）
(17)：保持部材
(172a)：（保持部材の）第１の支柱取付部
(172b)：（保持部材の）第２の支柱取付部
(18)：支持部材
(21)：足場板
(22)：横桟
(221)：（横桟の）下方突出部
(23)：（保持部材の）下方突出部
(27)：（保持部材の）支柱当接部
(28)：（保持部材の）クランプ
【図１】
2018168688.tif 000003
【図２】
2018168688.tif 000004
【図３】
2018168688.tif 000005
【図４】
2018168688.tif 000006
【図５】
2018168688.tif 000007
【図６】
2018168688.tif 000008
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
仮設足場における左右２本の支柱の前側部の所定高さ位置にそれぞれ取り付けられている左右２つの連結部材と、
下端部が各連結部材に左右方向にのびる水平軸を中心として回動自在に連結されている左右２つの揺動可能な縦枠部材と、
左右２つの縦枠部材の上端部どうしおよび下端部どうしにそれぞれ渡し止められている上部横枠部材および下部横枠部材と、
左右２つの縦枠部材、上部横枠部材および下部横枠部材によって形成された方形枠に張り止められている面材と、
上端部が各縦枠部材の上端部または長さ中間部に左右方向にのびる水平軸を中心として回動自在に連結されている左右２つの棒状の支持部材と、
各支柱の前側部における連結部材よりも下方の所定高さ位置に取り付けられかつ各支持部材の下端部を保持する左右２つの保持部材とを備えている仮設用朝顔装置であって、
各連結部材が、各支柱に向かって後方にのびかつ先端側に各支柱の前側部に当接させられる平面より見て略く字形の支柱当接部および支柱当接部の下方に連なって設けられかつ各支柱の前側部に上下方向所定間隔おきに設けられた複数のソケット金具のうち所要の１つのソケット金具に上方から挿入される下方突出部を有している第１の支柱取付部と、第１の支柱取付部の下方または上方において各支柱に向かって後方にのびかつ先端側に各支柱に締付固定可能なクランプを有している第２の支柱取付部とを備えており、
各保持部材が、各支柱に向かって後方にのびかつ先端側に各支柱の前側部に当接させられる平面より見て略く字形の支柱当接部および支柱当接部の下方に連なって設けられかつ支柱の前側部に上下方向所定間隔おきに設けられた複数のソケット金具のうち所要の１つのソケット金具に上方から挿入される下方突出部を有している第１の支柱取付部と、第１の支柱取付部の下方または上方において各支柱に向かって後方にのびかつ先端側に各支柱に締付固定可能なクランプを有している第２の支柱取付部とを備えており、
２つの連結部材の下方突出部および２つの保持部材の下方突出部の前側縁が、形状の異なる複数種類のソケット金具に共通して下方突出部を挿入しうるように同一の所定角度で後下がり状に傾斜したものとなされており、
各下方突出部がソケット金具に挿入されて、支柱当接部の凹状後面が支柱の前側部に当接させられるとともに、各下方突出部の傾斜した前側縁がソケット金具の開口上縁に当接させられることにより、連結部材および保持部材が支柱の前側部の所定高さ位置に保持されるようになっている、仮設用朝顔装置。
【請求項２】
請求項１記載の仮設用朝顔装置を仮設足場に設置する方法であって、
左右２つの連結部材の各下方突出部を、仮設足場における足場板の左右各横桟の前端に設けられた下方突出部が挿入されている各支柱の後側部のソケット金具と同一高さ位置にある各支柱の前側部のソケット金具に挿入するとともに、左右２つの保持部材の各下方突出部を、各支柱における前記足場板とその１層下の足場板との間の高さ位置にある前側部のソケット金具に挿入する工程と、
左右２つの連結部材および左右２つの保持部材の各クランプを、各支柱における前記足場板とその１層下の足場板との間の高さ位置に締付固定する工程とを含んでいる、仮設用朝顔装置の設置方法。